(57)【特許請求の範囲】
【請求項１】
略水平方向において湾曲しかつ所定の幅を有する長尺状の本体と、
前記本体において、中央領域に第１の色彩で着色されて、スイング時のクラブフェイスの方向を意識付けさせる第１の表示部と、
前記本体において、前記中央領域の両端側の領域に第２の色彩で着色されて、スイング時にリラックスするように意識付けさせる第２の表示部と、
前記本体の中央領域の下側中央に、前記本体の略垂直方向に延びるように設けられた溝部と、
を具備することを特徴とするゴルフスイング練習具。
【請求項２】
前記第１の表示部が、前記打球方向に沿って延びる第１の線、並びに、前記第１の線に対して対称に配置されて互いに交差する第２及び第３の線を含むこと、
を特徴とする請求項１に記載のゴルフスイング練習具。
【請求項３】
前記第２の色彩が、前記両端に向かうに連れて薄くなるように変化すること、
を特徴とする請求項１又は２に記載のゴルフスイング練習具。
【請求項４】
前記第２の表示部が、前記本体の伸びる方向に沿って整列する複数の略Ｖ字状模様を含むこと、
を特徴とする請求項１又は３に記載のゴルフスイング練習具。
【発明の詳細な説明】
【技術分野】
【０００１】
本発明は、ゴルフスイング練習具に関する。
【背景技術】
【０００２】
例えば、特許文献１（特開２００４−３５８１７６号公報）は、ゴルファーの視覚に訴えて正しいスウィングを体得させるべく、クラブヘッドの正しい動きをマットの形状及びセンターラインで示したゴルフ練習用マットを開示する。
【先行技術文献】
【特許文献】
【０００３】
【特許文献１】特開２００４−３５８１７６号公報
【発明の概要】
【発明が解決しようとする課題】
【０００４】
しかし、ゴルフスイングは、スイング軌道だけでなく、例えば力み、体の開き、捻りなどのスイングの癖にも影響を受け、ゴルフクラブのクラブフェイスがいずれかの向きに傾斜するとボールが左右上下にブレてしまうことから、かかる癖をも意識したスイング練習を行うべくゴルファーを意識付けすることが適切である。
【０００５】
そこで、本発明は、ゴルファーに対して、スイング軌道だけでなくスイングの癖を意識付けさせ、ゴルフクラブのクラブフェイスの向き（フェイスローテション）を正しくすることができるゴルフスイング練習具を提供することを目的とする。
【課題を解決するための手段】
【０００６】
上述した課題を解決すべく、本発明は、
略水平方向において湾曲しかつ所定の幅を有する長尺状の本体と、
前記本体において、中央領域に第１の色彩で着色されて、スイング時のクラブフェイスの方向を意識付けさせる第１の表示部と、
前記本体において、前記中央領域の両端側の領域に第２の色彩で着色されて、スイング時にリラックスするように意識付けさせる第２の表示部と、
を具備することを特徴とするゴルフスイング練習具、
を提供する。
【０００７】
換言すると、上記の本発明に係るゴルフスイング練習具では、長尺状の本体が、ユーザとゴルフボールとの間に配置されて、ゴルフクラブのスイング軌道に概ね沿うように湾曲している。そして、前記本体において、第１の表示部が、前記ゴルフボールに対向する中央領域に第１の色彩で着色されて構成され、前記ユーザに対して、スイング時（特にインパクト時）にクラブフェイスを所望する打球方向に正しく向けるようクラブフェイス及び／又はスイングの方向を意識付けさせる。また、第２の表示部が、前記中央領域の両端側の領域に第２の色彩で着色されて構成され、前記ユーザに対して、スイング時（特にインパクト時）の前後においてリラックスするように意識付けさせる。
【０００８】
本発明のゴルフスイング練習具は、
前記本体の中央領域の下側の中心部に、前記本体の略垂直方向に延びるように設けられた溝部を更に含むこと
第２の表示部、が好ましい。
【０００９】
また、本発明のゴルフスイング練習具では、前記第１の表示部が、前記打球方向に沿って延びる第１の線、並びに、前記第１の線に対して対称に配置されて互いに交差する第２及び第３の線を含むこと、が好ましい。
【００１０】
更に、本発明のゴルフスイング練習具では、前記第２の色彩が、前記両端に向かうに連れて薄くなるように変化すること、が好ましい。
【００１１】
更にまた、本発明のゴルフスイング練習具では、前記第２の表示部が、前記本体の伸びる方向に沿って整列する複数の略Ｖ字状模様を含むこと、が好ましい。
【発明の効果】
【００１２】
本発明のゴルフスイング練習具によれば、ゴルファーに対して、スイング軌道だけでなくスイングの癖を意識付けさせ、ゴルフクラブのクラブフェイスの向き（フェイスローテション）を正しくすることができる。
【図面の簡単な説明】
【００１３】
【図１】本実施形態に係るゴルフスイング練習具１の概略図である。
【図２】ゴルフスイング練習具１の使用例を示す背面側斜視図である。
【図３】ゴルフスイング練習具１の使用例を示す上面図である。
【発明を実施するための形態】
【００１４】
以下、本発明の代表的な実施形態に係るゴルフスイング練習具を、図面を参照しつつ詳細に説明する。ただし、本発明はこれら図面に限定されるものではない。また、図面は、本発明を概念的に説明するためのものであるから、理解容易のために、必要に応じて寸法、比又は数を誇張又は簡略化して表している場合もある。
【００１５】
本実施形態に係るゴルフスイング練習具１は、ユーザ７がゴルフスイングを練習する際のガイドとして用いられるものである。ここではユーザ７が右打ちであることを想定して、ゴルフスイング練習具１を説明する。
【００１６】
図１〜３に示すように、ゴルフスイング練習具１は、設置面に略水平な方向において湾曲する本体２、第１の表示部３、及び、第２の表示部４，５を含む（図１の（ａ））。以下、ゴルフスイング練習具１の各構成要素を順に詳細に説明する。
【００１７】
本体２は、ユーザ７とゴルフボール９との間に配置される長尺状又は帯状の部材であり、所定の幅（例えば３〜１０ｃｍ、好ましくは５〜８ｃｍ）を有し、ゴルフクラブ８の軌道Ｐに沿って湾曲する。本体２の寸法及び形状は本発明の作用効果を発揮できるよう適宜調整することができ、例えば本体２の曲率半径の下限は、８００であればよく、９５０であるのが好ましく、更には、１１００であるのが特に好ましい。また、本体２の曲率半径の上限は、１５００であればよく、１４００であるのが好ましく、更には１３００であるのが特に好ましい。
【００１８】
また、本体２を円弧の一部とみた場合、本体２の弦長の下限は、８０ｃｍ程度であればよく、９０ｃｍであるのが好ましく、更には９５ｃｍであるのが特に好ましい。本体２の矢高の上限は、１５ｃｍであればよく、１３．５ｃｍであるのが好ましく、更には１２ｃｍであるのが特に好ましい。
【００１９】
図１の（ｂ）に示すように、本体２の側面をみると、中央が最も厚くなり両端にむかって薄くなるように形成されており、詳細は後述するが、本体２の中央領域Ａの下側中央に、本体２の幅方向に延びるように設けられた溝部２ａを含む。また、図１の（ｃ）に示すように、本体２の端面をみると、所定の厚みを有する略台形の形状を呈しているとともに、上下両端部の角が丸みを帯びるようにＲ加工されている。
【００２０】
本体２は、樹脂材料やアルミニウム等の金属材料で構成することができ、可撓性乃至は柔軟性を有していてよい。本体２は、ベースとして例えば白色（第１，第２の色彩とは異なる色彩）に着色されていてもよく、金属色を呈していてもよい。
【００２１】
第１の表示部３は、本体２においてゴルフボール９に対向する中央領域Ａに例えば黄色（第１の色彩）で着色されて、ユーザ７に対して、インパクト時にクラブフェイスを打球方向に向けるようスイング方向及び／又はクラブフェイス方向を意識付けさせる部位である。なお、中央領域Ａはいわゆるビジネスゾーン（乃至はインパクトゾーン）に対応しているとも言える。
【００２２】
ここで、ビジネスゾーンは、スイング中でクラブの位置が右腰〜左腰の範囲にあるスイング領域である。ビジネスゾーンは、打球を飛ばす方向にクラブフェイスを真っすぐに向けるために大切な領域であり、黄色に着色して目立たせることで、ユーザ７に対してスイング動作中に凝視しなくても感覚的に意識をさせる（いわば無意識に意識させる）役割がある。
【００２３】
第１の表示部３の説明に戻ると、第１の表示部３は、図１〜３に矢印で示す打球方向に沿って延びる第１の線３１、第１の線３１と斜めに交差するとともに第１の線３１に対して対称に配置されるとともに互いに斜めに交差する第２及び第３の線３２，３３を含む。
【００２４】
３本の線３１〜３３は、ユーザ７によってスイング動作中に必要以上に開いたり、ひねったりしたりと、スイングの癖があることから、それぞれのユーザ７の癖に応じてスイング方向を意識させるために設けられる。第１の線３１と第２及び第３の線３２，３３とを区別するために、例えば、第１の線３１を黒色で、第２及び第３の線３２，３３をグレーで、それぞれ表してもよい。
【００２５】
次いで、第２の表示部４，５は、本体２における打球方向の両端側の領域に例えば赤色（第２の色彩）で着色されて、ユーザ７に対して、インパクトの前後においてリラックスするよう意識付けさせる。つまり、第２の表示部４，５は、ユーザの力みによりクラブフェイスの向きが許容範囲から外れることを防止している。
【００２６】
第２の色彩は、両端に向かうに連れて薄くなるように変化することが好ましい。つまり、色の濃淡ないしグラデーションで力の入れ具合を示唆しているのである。また、第２の表示部４，５は、本体２の伸びる方向に沿って整列する略Ｖ字状の模様を含んでいてもよい。
【００２７】
なお、第１の表示部３及び第２の表示部４，５は、それぞれ本体２に各種印刷技術によって印刷された印刷層で構成されていればよく、又は、別途のシール部材等を貼付することによって構成されていてもよい。本体２が金属製である場合には、磁石で脱着可能に貼付できるシート部材であってもよい。
【００２８】
次いで、ゴルフスイング練習具１の使用方法を説明する。
ユーザ７は、スイング練習に先立ち、自身とゴルフボール９との間にゴルフスイング練習具１を敷く。このとき、ゴルフスイング練習具１がゴルフボール９に向かって凸となるように、かつ、中央領域Ａがゴルフボール９に対向して、本体２の他の部分よりもゴルフボール９に近付くようにする（図２参照）。
【００２９】
更には、本体２の中央領域Ａの下側の中心部に、本体２の幅方向に延びるように設けられた溝部２ａに、棒状体１０からなる従来公知のアライメントスティックを挿入して設置することができる。棒状体１０は断面略円形であり、例えば７〜１０ｍｍの径を有していればよく、したがって溝部２ａは、この棒状体１０を固定することができように、同様に７〜１０ｍｍの幅を有していればよい。
【００３０】
これにより、本体２の中央領域Ａの中央において、本体２の幅方向（即ち、本体２を円弧とみてその接線に対して略垂直な方向）に棒状体１０を設置し、ユーザ７はゴルフスイング練習具１のセンターにゴルフボール９を合わせて配置することができる。なお、上記した第１の線３１はこの棒状体１０と略垂直の位置関係にある。
【００３１】
次いで、ユーザ７は、ゴルフクラブ８を構える。このとき、ユーザ７の視界には、ゴルフボール９の手前に、あるいは、ゴルフクラブ８のシャフト越しに、ゴルフスイング練習具１が入る。このとき、ユーザ７は、第１の表示部３を確認することで、スイング方向及び／又はゴルフクラブのフェイス方向を意識する。併せて、ユーザ７は、第２の表示部４，５を確認することで、バックスイング及びフォロースイングにおいて力み過ぎないように意識する。
【００３２】
このような意識付けの下で練習を行うことで、ユーザ７は、無意識のうちに自己のスイングの癖をなくし、ゴルフクラブのクラブフェイスの向き（フェイスローテーション）及びスイング軌道を改善し定着させることができる。
【００３３】
以上、本発明の代表的な実施形態について説明したが、本発明はこれらに限定されるものではなく、種々の設計変更が可能であり、それらも本発明に含まれる。例えば、図１の（ａ）における本体２の左右端部領域の一方又は両方に吊下げ孔を設けていてもよい。
【符号の説明】
【００３４】
１      ゴルフスイング練習具
２      本体
２Ａ    溝
３      第１の表示部
４，５  第２の表示部
１０    棒状体
【要約】      （修正有）【課題】ゴルファーに対して、スイング軌道だけでなくスイングの癖を意識付けさせ、ゴルフクラブのクラブフェイスの向き（オリエンテーション乃至はローテション）を正しくすることができるゴルフスイング練習具の提供。【解決手段】略水平方向において湾曲しかつ所定の幅を有する長尺状の本体２と、前記本体２において、中央領域に第１の色彩で着色されて、スイング時のクラブフェイスの方向を意識付けさせる第１の表示部３と、前記本体２において、前記中央領域の両端側の領域に第２の色彩で着色されて、スイング時にリラックスするように意識付けさせる第２の表示部４と５、とを具備することを特徴とするゴルフスイング練習具１。【選択図】図３【図１】
0006942301.tif 000002
【図２】
0006942301.tif 000003
【図３】
0006942301.tif 000004